(57)【要約】【課題】かごの振動の発生を抑制することができるエレベータ装置を得る。【解決手段】昇降路１００に設けられ、高さ方向に延びたガイドレール１と、昇降路１００を昇降するかご２と、ガイドレール１を転動するガイドローラ３１およびかご２に設けられガイドローラ３１を支持する支持部材３２を有し、ガイドローラ３１がガイドレール１を転動することによりかご２をガイドレール１に沿って案内するガイド装置３と、ガイド装置３に設けられ、毛部がガイドレール１に接触し、かご２とともに昇降して、ガイドレール１を清掃するブラシ４とを備えている。【選択図】図１
2013245062.tif 000002
【特許請求の範囲】
【請求項１】
昇降路に設けられ、高さ方向に延びたガイドレールと、
前記昇降路を昇降する移動体と、
前記ガイドレールを転動するガイドローラを有し、前記ガイドローラが前記ガイドレールを転動することにより前記移動体を前記ガイドレールに沿って案内するガイド装置と、
前記ガイドレールを清掃する清掃部材と
を備えたことを特徴とするエレベータ装置。
【請求項２】
前記清掃部材は、毛部が前記ガイドレールに接触し前記移動体とともに昇降するブラシであることを特徴とする請求項１に記載のエレベータ装置。
【発明の詳細な説明】
【技術分野】
【０００１】
この発明は、かごまたは釣合錘がガイドレールに案内されて昇降路を昇降するエレベータ装置に関する。
【背景技術】
【０００２】
従来、昇降路に設けられ、高さ方向に延びたガイドレールと、昇降路を昇降するかごと、ガイドレールを転動するガイドローラを有し、ガイドローラがガイドレールを転動することによりかごをガイドレールに沿って案内するガイド装置とを備えたエレベータ装置が知られている（例えば、特許文献１参照）。
【先行技術文献】
【特許文献】
【０００３】
【特許文献１】特開２０１１−２０８２６号公報
【発明の概要】
【発明が解決しようとする課題】
【０００４】
しかしながら、エレベータ装置が長期間使用されると、ガイドローラには異物が付着し、さらに、かごが長時間停止すると、ガイドローラに付着していた異物がガイドレールに付着する。ガイドレールに異物が付着した状態でかごが昇降路を昇降すると、ガイドローラがガイドレールの異物に乗り上げることにより、かごに振動が発生してしまうという問題点があった。
【０００５】
この発明は、かごの振動の発生を抑制することができるエレベータ装置を提供するものである。
【課題を解決するための手段】
【０００６】
この発明に係るエレベータ装置は、昇降路に設けられ、高さ方向に延びたガイドレールと、前記昇降路を昇降する移動体と、前記ガイドレールを転動するガイドローラを有し、前記ガイドローラが前記ガイドレールを転動することにより前記移動体を前記ガイドレールに沿って案内するガイド装置と、前記ガイドレールを清掃する清掃部材とを備えている。
【発明の効果】
【０００７】
この発明に係るエレベータ装置によれば、ガイドレールを清掃する清掃部材を備えているので、ガイドローラに付着していた異物がガイドレールに付着した場合に、ガイドレールに付着した異物が除去される。その結果、ガイドローラがガイドレールの異物に乗り上げることが防止され、かごの振動の発生を抑制することができる。
【図面の簡単な説明】
【０００８】
【図１】この発明の実施の形態１に係るエレベータ装置を示す側面図である。
【発明を実施するための形態】
【０００９】
実施の形態１．
図１はこの発明の実施の形態１に係るエレベータ装置を示す側面図である。図において、エレベータ装置は、昇降路１００に設けられた一対のガイドレール１と、昇降路１００を昇降するかご（移動体）２と、かご２をガイドレール１に沿って案内するガイド装置３と、各ガイドレール１を清掃するブラシ（清掃部材）４と、かご２に接続されたロープ５と、かご２の上方に設けられ、ロープ５が巻き掛けられた綱車６とを備えている。綱車６は、モータ（図示せず）の駆動により回転する。ロープ５は、綱車６の回転により移動する。かご２は、ロープ５の移動により昇降路１００を昇降する。
【００１０】
一対のガイドレール１は、かご２を挟むようにして配置されている。各ガイドレール１は、高さ方向に延びて配置されている。
【００１１】
ガイド装置３は、かご２の上部および下部の両方に設けられている。また、ガイド装置３は、各ガイドレール１に対応するように配置されている。各ガイド装置３は、ガイドレール１を転動するガイドローラ３１と、かご２に設けられガイドローラ３１を回転可能に支持する支持部材３２とを有している。ガイドローラ３１は、ボルトおよびナット（図示せず）を用いて支持部材３２に取り付けられている。４個のガイド装置３は、ガイドローラ３１がガイドレール１を転動することにより、かご２をガイドレール１に沿って案内する。これにより、かご２の横幅方向の移動が規制される。
【００１２】
ブラシ４は、各ガイド装置３に対応して配置されている。各ブラシ４は、支持部材３２に支持されている。したがって、ブラシ４は、かご２とともに昇降路１００を昇降する。また、各ブラシ４は、毛部がガイドレール１に接触して配置されている。したがって、各ブラシ４は、昇降路１００を昇降する際にガイドレール１を清掃する。ブラシ４は、ガイドローラ３１を支持部材３２に取り付けるボルトおよびナットを用いて支持部材３２に取り付けられている。したがって、既設のガイド装置３を改造することなく、ガイド装置３にブラシ４を取り付けることができる。
【００１３】
かご２の上部に設けられたブラシ４は、かご２の上部に設けられたガイドローラ３１よりも上方に配置されている。一方、かご２の下部に設けられたブラシ４は、かご２の下部に設けられたガイドローラ３１よりも下方に配置されている。これにより、４個のブラシ４が清掃するガイドレール１の領域には、ガイドローラ３１が転動するガイドレール１の領域の全てが含まれる。
【００１４】
次に、エレベータ装置の動作について説明する。エレベータ装置が長期間使用されると、ガイドローラ３１には埃などの異物が付着する。さらに、かご２が長時間停止すると、ガイドローラ３１に付着した異物がガイドレール１に付着する。この状態で、綱車６の回転によりかご２が昇降すると、ブラシ４がガイドレール１を清掃する。これにより、ガイドレール１に付着した異物がガイドレール１から除去される。
【００１５】
以上説明したように、この発明の実施の形態１に係るエレベータ装置によれば、ガイドレール１を清掃するブラシ４を備えているので、ガイドローラ３１に付着していた異物がガイドレール１に付着した場合に、ガイドレール１に付着した異物が除去される。その結果、ガイドローラ３１がガイドレール１の異物に乗り上げることが防止され、かご２の振動の発生を抑制することができる。
【００１６】
また、ブラシ４は、毛部がガイドレール１に接触し、かご２とともに昇降するので、簡単な構成で、ガイドレール１を清掃することができる。
【００１７】
なお、上記実施の形態１では、移動体として、かご２を例に説明したが、これに限らず、釣合錘であってもよい。
【００１８】
また、上記実施の形態１では、清掃部材として、ブラシ４を例に説明したが、これに限らず、ナイロン製の刷毛、スポンジ、たわし等、ガイドレール１に付着した異物を除去することができる部材であればよい。
【００１９】
また、上記実施の形態１では、かご２の横幅方向の移動を規制するガイド装置３を例に説明したが、かご２の奥行方向の移動を規制するガイド装置３であってもよく、さらには、かご２の横幅方向および奥行方向の両方の移動を規制するガイド装置３であってもよい。何れに場合であっても、各ガイド装置３に対応してブラシ４が配置される。
【符号の説明】
【００２０】
１  ガイドレール、２  かご（移動体）、３  ガイド装置、４  ブラシ（清掃部材）、５  ロープ、６  綱車、３１  ガイドローラ、３２  支持部材、１００  昇降路。
【図１】
2013245062.tif 000003